(57)【特許請求の範囲】
【請求項１】
ベット近傍に設置されて患者が看護師を呼び出すためのナースコール子機と、ナースステーションに設置されて患者からの呼び出しを報知して応答するためのナースコール親機とを有し、前記ナースコール子機には医療機器を接続して医療機器が発する信号を前記ナースコール親機に通知するための接続端子が設けられ、前記ナースコール親機が前記医療機器が発する信号を受信したら報知動作するナースコールシステムであって、
前記ナースコール子機は、前記接続端子に対する医療機器の接続／取り外しを検知して前記ナースコール親機に接続信号／取り外し信号を送信する接続機器検知部を有する一方、
前記ナースコール親機は、前記ナースコール子機から送信される前記接続信号を受けて医療機器の使用が開始されたと判断して使用時間のカウントを開始すると共に、前記取り外し信号を受けたら使用終了を判断して医療機器の使用時間を管理する接続機器管理部と、
前記医療機器の使用時間データを保存する医療機器情報記憶部と、
前記医療機器の使用時間を表示するディスプレイと、を有することを特徴とするナースコールシステム。
【請求項２】
前記ナースコール親機は、前記ナースコール子機から前記取り外し信号を受信したら、それを報知する報音部を有する一方、
前記取り外し信号を受信しても前記報音部を報知動作させない使用終了操作を行う操作部を有することを特徴とする請求項１記載のナースコールシステム。
【請求項３】
前記接続機器管理部は、前記使用終了操作を医療機器の取り外しと認識して、医療機器使用時間のカウントを終了して前記医療機器情報記憶部に使用時間情報を保存することを特徴とする請求項２記載のナースコールシステム。
【請求項４】
前記ナースコール親機は、患者を移動するベッド移動操作がなされると前記使用終了操作が成されたと判断すると共に、前記接続機器管理部は、前記医療機器使用時間のカウントを終了することを特徴とする請求項２又は３記載のナースコールシステム。
【請求項５】
前記接続信号には、ベッド番号情報及び接続された医療機器の種別情報が添付されている一方、前記ナースコール親機は、患者とベッド番号との関連付けが記憶された患者関連情報記憶部を有し、
前記接続機器管理部は、受信した接続信号から前記患者関連情報記憶部を参照して使用している患者を把握し、前記医療機器の種別情報と前記使用時間データとを患者情報に紐付けして前記医療機器情報記憶部に保存することを特徴とする請求項１乃至４の何れかに記載のナースコールシステム。
【請求項６】
前記ナースコール親機は、前記ディスプレイに患者情報一覧を表示する表示制御部を有し、
前記表示制御部は、前記医療機器管理部が前記接続信号を受けて医療機器を使用している患者を把握したら、患者情報一覧を前記ディスプレイに表示した状態で、当該患者の表示エリアの少なくとも一部の色を変更することを特徴とする請求項５記載のナースコールシステム。
【発明の詳細な説明】
【技術分野】
【０００１】
本発明はナースコールシステムに関し、特に人工呼吸器や点滴装置等の移動可能な医療機器をナースコール子機に接続し、その医療機器が異常を検知したらナースコール親機に通知する機能を備えたナースコールシステムに関する。
【背景技術】
【０００２】
患者をサポートするために人工呼吸器や点滴装置、心拍モニタ等の移動可能な医療機器が病室のベッド脇に配置される場合がある。このベッド脇に配置される医療機器は、例えば心拍モニタが異常を検知したら速やかな対処が望まれるため、異常が発生したらそれを看護師に通知できるよう、信号線がナースコール子機に接続できる構成となっている。
例えば特許文献１では、ナースコール子機に医療機器の信号線を接続可能とし、医療機器の発する警報信号をナースコール親機に通知して発報させ、ナースステーションに居る看護師も認識できるよう動作させると共に、ナースコール子機と医療機器との接続部において、信号線の脱落や断線が発生してもそれをナースステーションにおいて認識可能とした。
【先行技術文献】
【特許文献】
【０００３】
【特許文献１】特開２００７−１１７４９１号公報
【発明の概要】
【発明が解決しようとする課題】
【０００４】
しかしながら、移動可能な医療機器は文字通り患者の様態に応じてベッド間或いは病室を移動して使用されるため、その使用状態の把握がし辛く、どの患者にどんな医療機器が何時間使用されたか正確に把握するのが難しかった。
また、上記特許文献１にあるように、脱落・断線をナースコール親機において報知するよう構成されたシステムでは、ナースコール子機から取り外す度にナースコール親機において脱落断線警報が発報されるため、移動する度にその停止作業が必要となり、面倒な作業が伴っていた。
【０００５】
そこで、本発明はこのような問題点に鑑み、ナースコール子機に接続されて使用される医療機器の使用時間を正確に把握でき、使用後の取り外し操作も容易なナースコールシステムを提供することを目的としている。
【課題を解決するための手段】
【０００６】
上記課題を解決する為に、請求項１の発明は、ベット近傍に設置されて患者が看護師を呼び出すためのナースコール子機と、ナースステーションに設置されて患者からの呼び出しを報知して応答するためのナースコール親機とを有し、ナースコール子機には医療機器を接続して医療機器が発する信号をナースコール親機に通知するための接続端子が設けられ、ナースコール親機が医療機器が発する信号を受信したら報知動作するナースコールシステムであって、ナースコール子機は、接続端子に対する医療機器の接続／取り外しを検知してナースコール親機に接続信号／取り外し信号を送信する接続機器検知部を有する一方、ナースコール親機は、ナースコール子機から送信される接続信号を受けて医療機器の使用が開始されたと判断して使用時間のカウントを開始すると共に、取り外し信号を受けたら使用終了を判断して医療機器の使用時間を管理する接続機器管理部と、医療機器の使用時間データを保存する医療機器情報記憶部と、医療機器の使用時間を表示するディスプレイと、を有することを特徴とする。
この構成によれば、ナースコール子機から送信される医療機器の接続信号を受けて、ナースコール親機において使用時間のカウントを開始するし、取り外し信号を受けてそのカウントを終了してデータを記憶するため、患者が使用している医療機器の使用時間を集計することなく把握でき、医療機器の使用状態や使用実績の管理が容易となる。
【０００７】
請求項２の発明は、請求項１に記載の構成において、ナースコール親機は、ナースコール子機から取り外し信号を受信したら、それを報知する報音部を有する一方、取り外し信号を受信しても報音部を報知動作させない使用終了操作を行う操作部を有することを特徴とする。
この構成によれば、医療機器の接続端子への接続が外れたらナースコール親機で警報音を発する構成であっても、取り外し前にナースコール親機において使用終了操作することで、医療機器を取り外しても警報音が発報されることが無い。よって、従来行っていた取り外してから警報音を停止する煩わしい操作が必要ない。
【０００８】
請求項３の発明は、請求項２に記載の構成において、接続機器管理部は、使用終了操作を医療機器の取り外しと認識して、医療機器使用時間のカウントを終了して医療機器情報記憶部に使用時間情報を保存することを特徴とする。
この構成によれば、使用終了操作を受けて医療機器使用時間のカウントを終了するため、医療機器使用時間の精度の高い管理ができる。
【０００９】
請求項４の発明は、請求項２又は３に記載の構成において、ナースコール親機は、患者を移動するベッド移動操作がなされると使用終了操作が成されたと判断すると共に、接続機器管理部は、医療機器使用時間のカウントを終了することを特徴とする。
この構成によれば、ベッド移動操作により、医療機器使用時間のカウントを終了するため、精度の高い使用時間の管理を行うことができる。また、医療機器を取り外しても警報音を発しないため、別途使用終了操作する必要がない。
【００１０】
請求項５の発明は、請求項１乃至４の何れかに記載の構成において、接続信号には、ベッド番号情報及び接続された医療機器の種別情報が添付されている一方、ナースコール親機は、患者とベッド番号との関連付けが記憶された患者関連情報記憶部を有し、接続機器管理部は、受信した接続信号から患者関連情報記憶部を参照して使用している患者を把握し、医療機器の種別情報と使用時間データとを患者情報に紐付けして医療機器情報記憶部に保存することを特徴とする。
この構成によれば、医療機器の種別毎の使用時間を、使用している患者に紐付けして把握できるため詳細に管理できる。
加えて、ベッド移動により患者のベッド番号が変更されても、医療機器の使用時間データは患者に紐付けされて保存されるため、同一の患者に対して継続してカウントされる。よって、ベッド移動発生よる面倒な集計操作等を行う必要がないし、異なる患者に対して医療機器の使用時間が適用されることがなく、看護師の負担を軽減できる。
【００１１】
請求項６の発明は、請求項５に記載の構成において、ナースコール親機は、ディスプレイに患者情報一覧を表示する表示制御部を有し、表示制御部は、医療機器管理部が接続信号を受けて医療機器を使用している患者を把握したら、患者情報一覧をディスプレイに表示した状態で、当該患者の表示エリアの少なくとも一部の色を変更することを特徴とする。
この構成によれば、医療機器を使用している患者を患者情報一覧を表示した状態で把握でき、使用中の医療機器の場所を把握し易く医療機器の管理がし易い。
【発明の効果】
【００１２】
本発明によれば、ナースコール子機から送信される医療機器の接続信号を受けて、ナースコール親機において使用時間のカウントを開始するし、取り外し信号を受けてそのカウントを終了してデータを記憶するため、患者が使用している医療機器の使用時間を集計することなく把握でき、医療機器の使用状態や使用実績の管理が容易となる。
また、医療機器の接続端子への接続が外れたらナースコール親機で警報音を発する構成であっても、取り外し前にナースコール親機において使用終了操作することで、医療機器を取り外しても警報音が発報されることが無く、従来行っていた取り外してから警報音を停止する煩わしい操作が必要ない。
【図面の簡単な説明】
【００１３】
【図１】本発明に係るナースコールシステムの一例を示す構成図である。
【図２】ナースコール子機の回路ブロック図である。
【図３】ナースコール親機の回路ブロック図である。
【図４】第１ディスプレイの待受時の表示を示す説明図である。
【図５】医療機器が接続された患者を示す第１ディスプレイの画面説明図である。
【図６】医療機器使用状況をポップアップ表示した第１ディスプレイの画面説明図である。
【図７】ベッド移動の操作画面を示す第１ディスプレイの画面説明図である。
【発明を実施するための形態】
【００１４】
以下、本発明を具体化した実施の形態を、図面を参照して詳細に説明する。図１は本発明に係るナースコールシステムの一例を示す構成図であり、１はベッド近傍に設置されて患者が看護師を呼び出すためのナースコール子機（以下、単に「子機」と称する。）、２は病室前において子機１による呼び出しを報知する廊下灯、３はナースステーションに設置されて子機１からの呼び出しを報知して応答するためのナースコール親機（以下、単に「親機」と称する。）、４は子機１と親機３の間の通信を制御する制御機、５は看護師が携行する携帯端末、６は携帯端末５と通信する基地局、７は携帯端末５の通信を管理する交換機、８は患者関連データを蓄積したナースコールサーバ、９は移動式の医療機器、１０は親機３に接続されてナースコール履歴等を管理するためのパーソナルコンピュータから成る管理装置である。
【００１５】
子機１は病室毎に廊下灯２に伝送線Ｌ１を介して接続され、廊下灯２、親機３、制御機４、交換機７、ナースコールサーバ８はＬＡＮ回線Ｎを介して互いに接続されている。
【００１６】
子機１は、患者が操作する呼出ボタン１ａと壁面に設置されたプレート子機１ｂとを有し、呼出ボタン１ａはプレート子機１ｂに接続され、プレート子機１ｂが廊下灯２に接続されている。図２はこのプレート子機１ｂの回路ブロック図を示している。図２に示すように、プレート子機１ｂは看護師と通話するための通話部１１、呼出ボタン１ａ及び医療機器９を接続するための２つの接続端子１２，１２、接続された医療機器９を検知してその種別を判別する接続機器検知部１３、子機１を制御する子機ＣＰＵ１４、廊下灯２と通信するための子機ＩＦ１５等を備えている。
【００１７】
このように、呼出ボタン１ａを接続する接続端子１２と医療機器９を接続する接続端子１２とは共通であり、何れの接続端子１２も医療機器９を接続できるし呼出ボタン１ａを接続できる。そして、医療機器９には、人工呼吸器、点滴装置、心拍モニタ、血圧監視装置、マットセンサ等があり、それらから異常発生を通知する信号が出力されると、プレート子機１ｂの子機ＣＰＵ１４はそれを呼出信号と同様に処理して親機３に送信する。
更に、医療機器９の接続端子１２に接続するプラグ（或いは、プラグを備えた接続線）は、医療機器９の種別に応じて設定された固有の抵抗値を有しており、接続機器検知部１３は接続端子１２からこの抵抗値を検出して医療機器９の接続を検知すると共に接続された医療機器９の種別を判別する。
【００１８】
親機３は、患者情報の一覧を表示するための大型ＬＣＤから成る第１ディスプレイ３１、通話先を表示するための小型ＬＣＤからなる第２ディスプレイ３２、通話するためのハンドセット３３を有している。
図３の親機３の回路ブロック図を示し、図３に示すように第１ディスプレイ３１に設けられたタッチパネルから成る操作部３４、患者の氏名、年齢、診療科目、救護区分、担当医師、ベッド番号等の患者関連情報を記憶する患者関連情報記憶部３５、子機１に接続された医療機器９の種別や使用時間等の医療機器情報を記憶する医療機器情報記憶部３６、通話履歴を記憶する通話履歴情報記憶部３７、ハンドセット３３に加えて警報音等を発報するスピーカを有する通話部３８、第１ディスプレイ３１及び第２ディスプレイ３２に表示する映像や画像を処理する映像処理部３９、通話音声を処理する音声処理部４０、親機３を制御する親機ＣＰＵ４１、ＬＡＮ回線Ｎを介して制御機４等と通信するための親機通信ＩＦ４２等を備えている。
【００１９】
このように構成されたナースコールシステムは以下のように動作する。但し、子機１を使用した呼び出し、親機３或いは携帯端末５を使用したその応答に関しては従来技術と同様であるため説明を省略し、ここでは子機１に医療機器９が接続された場合の動作、特に使用時間の管理を中心に説明する。
医療機器９がプレート子機１ｂの接続端子１２に接続されると、接続機器検知部１３が接続端子１２の抵抗値の変化から接続を認識し、更に接続された医療機器９のプラグの抵抗値を検知して医療機器９の種別（人工呼吸器や点滴装置等）を判別する。子機ＣＰＵ１４は、こうして接続機器検知部１３が判別した医療機器９の種別情報を含む接続信号を生成して廊下灯２に送信する。
【００２０】
この接続信号を受信した廊下灯２では、予め設定されている送信元子機１のＩＤ情報（ベッド番号情報）を接続信号に添付して親機３に送信する。
【００２１】
廊下灯２から接続信号を受信した親機３では、親機ＣＰＵ４１がそれを認識して以下の様な制御を行う。接続信号から子機ＩＤ及び医療機器の種別情報を読み取り、患者関連情報記憶部３５を参照して子機ＩＤ即ちベッド番号に関連付けられている患者を読み取る。更に、その時の時刻を親機ＣＰＵ４１の内部時計から読み取り使用開始時刻とする。こうして読み取った医療機器９の種別情報、ベッド番号情報、使用開始時刻情報が、医療機器９を使用している患者の氏名情報に紐付けされて医療機器情報記憶部３６に保存される。
【００２２】
また親機ＣＰＵ４１は、使用開始時刻を記憶したら、その時刻から使用時間のカウントを開始し、一覧表示されている患者情報の中の医療機器９が接続されたベッドの患者の枠の色を変えて医療機器９が接続された旨を一覧表示から認識可能とする。
図４は第１ディスプレイ３１の待受状態での表示を示す説明図であり、第１ディスプレイ３１には図４に示すようにベッド単位で患者情報一覧が表示されている。図４において、Ｐはベッドに対応する枠で個々の患者情報を表示した患者枠である。この患者枠Ｐの中に、患者の氏名表示部Ｐ１、ベッド番号表示部Ｐ２、呼び出しを通知する通知灯Ｐ３等が設けられている。また、Ｑは病室番号表示枠である。
【００２３】
この表示状態で、子機１に医療機器９が接続された状態が図５であり、医療機器９を使用している患者枠Ｐの色が変化した状態を示している。
このように、患者枠Ｐの色の変化により、医療機器９を使用している患者を患者情報一覧を表示した状態で把握でき、使用中の医療機器９の場所を把握し易く医療機器９の管理がし易い。
【００２４】
尚、医療機器９を接続したベッド（或いは患者）の表示は、患者枠Ｐの色を変化させる以外に患者枠Ｐの内部の色を変化させても良いし、別途患者名下部や患者枠Ｐの周囲の色を変化させても良い。
【００２５】
また、医療機器９の接続時間情報は、操作部３４の所定の表示操作で第１ディスプレイ３１にポップアップ表示させて確認することができる。図６は医療機器の接続時間をポップアップ表示した状態を示し、Ｒ１がポップアップ表示枠である。特定の患者の詳細情報を表示する所定の操作により、医療機器９の使用時間を含む患者詳細情報が図６に示すようにポップアップ表示される。図６では、Ｐ４で示す表示「オプション接続時間」が使用時間表示部である。
【００２６】
その後、医療機器９の使用が終了したら医療機器を移動するためにプラグが抜かれる。プラグが抜かれると、接続機器検知部１３がそれを検知して子機ＣＰＵ１４に通知し、子機ＣＰＵ１４が取り外し信号を生成して、接続信号と同様に廊下灯２を介して親機３に送信される。
取り外し信号を受信した親機３では、親機ＣＰＵ４１が使用時間のカウントを終了させ、同時に後述する所定の使用終了操作が成されていないため、プラグが脱落して或いは断線が発生して取り外し信号が送信されたと判断して、通話部３８のスピーカから警報音を発報させる。尚、この警報音は、親機３の所定の停止操作で停止する。
【００２７】
この警報音の発報は、プラグを抜く前に所定の使用終了操作を行うことで発報自体を無くすことができ、安心してプラグの抜き取りが可能となる。
具体的に、親機３の操作部３４から対象となる患者を選択して詳細画面を表示し、図示しない「医療機器取り外し」ボタンをタッチする。この操作で、親機ＣＰＵ４１は医療機器９の使用が終了したと判断して使用時間のカウントを終了する。この結果、使用時間が確定してカウントされた時間データ（累積使用時間データ）が、医療機器９を使用した患者氏名に紐付けされて医療機器情報記憶部３６に保存される。
そして、プラグを接続端子１２から抜き取ることで、引き続き取り外し信号が親機３へ伝送されるが、使用終了操作が成されたことにより、親機ＣＰＵ４１は警報音の発報等新たな動作を実施しない。
【００２８】
このように、医療機器９の接続信号を受けて、親機３において使用時間のカウントを開始するし、取り外し信号を受けてそのカウントを終了してデータを記憶するため、患者が使用している医療機器９の使用時間を集計することなく把握でき、医療機器９の使用状態や使用実績の管理が容易となる。
また、医療機器９の接続端子１２への接続が外れたら親機３で警報音を発するが、プラグを抜き取る前に親機３において使用終了操作することで、医療機器９を取り外しても警報音が発報されることが無くなり、従来行っていた取り外してから警報音を停止する煩わしい操作が必要ない。
更に、使用終了操作を受けて医療機器使用時間のカウントを終了するため、医療機器使用時間の精度の高い管理ができる。
また、医療機器９の使用時間に加えて医療機器９の種別とそれを使用している患者を親機３において同時に把握できるため、詳細に管理できる。
【００２９】
次に、医療機器９を使用している患者の場所が変更されるベッド移動を実施した場合の医療機器９の使用時間の変更制御の流れを説明する。患者を他のベッドに移動する場合、まず親機３においてベッド移動操作が行われる。このベッド移動操作は、操作部３４を操作してベッド移動画面を第１ディスプレイ３１にポップアップ表示して行われる。図７は、この操作画面を表示させた第１ディスプレイ３１の表示を示し、Ｒ２がポップアップ表示されたベッド移動画面であり、患者を互いに入れ替える場合を示している。尚、一人の患者を空きベッドへ移動する場合は一方の患者氏名は空白となる。
【００３０】
ベッド移動操作を受けて、親機ＣＰＵ４１はまず移動する患者が医療機器９を使用していたら、使用終了操作が成されたと判断して終了時刻と共に累積使用時間を算出して保存する。そして、移動先のベッド番号に変更されたら、患者に紐付けされているベッド番号を変更して保存する。
また、患者の移動に合わせて医療機器９が移動のために子機１から取り外されて、取り外し信号を受信しても無視して警報音を発報させない。
【００３１】
その後、移動先のベッドの子機１に医療機器９が接続されていたら、上記と同様の流れで使用開始時間が登録されて使用時間のカウントが再スタートする。その後、使用が終了して医療機器が取り外されたら、再スタート後の使用時間が、それまでの患者に紐付けされている累積使用時間に加算されて新たな累積使用時間が計算されて保存される。
【００３２】
そして、この医療機器情報記憶部３６に保存された医療機器毎の使用時間データは、親機３、或いは管理用ＰＣ１０で呼び出して、第１ディスプレイ３１、或いは管理装置１０のディスプレイ１０ａに表示させることができ、医療機器毎の使用履歴が、接続開始時刻、接続終了時刻、累積使用時間とともに一覧表示（図示せず）されて使用状況を容易に確認することができる。
【００３３】
このように、ベッド移動操作により、医療機器使用時間のカウントを終了するため、精度の高い使用時間の管理を行うことができる。また、移動のために医療機器９を取り外しても警報音を発しないため、別途使用終了操作する必要がない。
加えて、ベッド移動により患者のベッド番号が変更されても、医療機器９の使用時間データは患者に紐付けされて保存されるため、同一の患者に対して継続してカウントされ、ベッド移動の発生による面倒な集計操作等行う必要がないし、異なる患者に対して医療機器９の使用時間のカウントが適用されることがなく、看護師の負担を軽減できる。
【００３４】
尚、上記実施形態では、患者情報一覧をベッド単位で表示した状態で、患者枠Ｐの色を変えることで医療機器９を使用している場所を確認できるようにしているが、ベッド数が少なくて患者枠Ｐが比較的大きい場合は、患者枠Ｐ内に医療機器９の種別や使用時間を表示しても良い。
また、患者関連情報記憶部３５、医療機器情報記憶部３６、通話履歴情報記憶部３７を親機３に設けたが、何れか或いは全ての記憶部を制御機４に設けても良い。
更に、医療機器９の使用時間や種別データを患者に紐付けして管理しているが、患者ではなくベッド番号に紐付けして管理しても良く、同様に管理できる。
【符号の説明】
【００３５】
１・・ナースコール子機、２・・廊下灯、３・・ナースコール親機、４・・制御機、９・・医療機器、１１・・通話部、１２・・接続端子、１３・・接続機器検知部、１４・・子機ＣＰＵ、３１・・第１ディスプレイ（ディスプレイ）、３４・・操作部、３５・・患者関連情報記憶部、３６・・医療機器情報記憶部、３８・・通話部（報音部）、４１・・親機ＣＰＵ（接続機器管理部、表示制御部）、Ｐ・・患者枠、Ｐ４・・使用時間表示部。
【図１】
0006511383.tif 000002
【図２】
0006511383.tif 000003
【図３】
0006511383.tif 000004
【図４】
0006511383.tif 000005
【図５】
0006511383.tif 000006
【図６】
0006511383.tif 000007
【図７】
0006511383.tif 000008